(57)【要約】【課題】冷陰極蛍光ランプを駆動するためのランプ駆動システムを提供する。【解決手段】ランプ駆動システムは第一の駆動モジュールを含む。第一の駆動モジュールは、第一の変圧器と、第一のキャパシターと第一の電流検出回路とを含む。第一の変圧器は、第一の一次側と第一の二次側とをもつ。第一の二次側には第一の端子と第二の端子とがある。第一の端子はランプの第一の側に接続されている。第一のキャパシターの一端は、第一の端子とランプに接続されている。第一の電流検出回路は複数の受動素子を含む。第一の電流検出回路の一端は、第二の端子に接続されている。第一の電流検出回路の他の一端は、第一のキャパシターの他の一端に接続されている。第一の電流検出回路は第一の検出点をもち、第一の電圧を検出する。第一の電圧は、ランプの容量性電流成分を含まないランプ端子電流と正比例関係にある。【選択図】図６Ａ
2010205716.tif 000002
【特許請求の範囲】
【請求項１】
ランプを駆動するランプ駆動システムにおいて、
前記ランプ駆動システムは、第一の駆動モジュールを備え、前記第一の駆動モジュールは、
第一の変圧器で、第一の一次側と第一の二次側をもち、前記第一の二次側には第一の端子と第二の端子とがあり、前記第一の二次側の前記第一の端子は前記ランプの第一の側に接続されたものと、
第一のキャパシターで、その一端が前記第一の変圧器の前記第一の二次側の前記第一の端子と前記ランプとに接続されたものと、
第一の電流検出回路で、複数の受動素子を含み、前記第一の電流検出回路の一端は前記第一の変圧器の前記第一の二次側の前記第二の端子に接続され、前記第一の電流検出回路の他の一端は前記第一のキャパシターの他の一端に接続され、前記第一の電流検出回路は第一の電圧を検出するための第一の検出点をもち、前記第一の電圧は前記ランプの容量性電流成分を含まないランプ端子電流iLと正比例関係にあるもの、とからなることを特徴とする、ランプ駆動システム。 
【請求項２】
前記ランプは冷陰極蛍光ランプで、前記第一のキャパシターは共振キャパシターであることを特徴とする、請求項１に記載のランプ駆動システム。
【請求項３】
前記第一の電流検出回路は第一の抵抗器と、第二の抵抗器と、第一の差電圧分圧器とを含み、前記第一の変圧器の前記第一の二次側の前記第二の端子は前記第一の抵抗器を通して接地され、前記第一のキャパシターの他の一端は前記第二の抵抗器を通して接地され、前記第一の差電圧分圧器の一端は、前記第一の変圧器の前記第一の二次側の前記第二の端子と前記第一の抵抗器とを接続する第一のノードに接続され、前記第一の差電圧分圧器の他の一端は、前記第一のキャパシターの他の一端と前記第二の抵抗器を接続する第二のノードに接続されることを特徴とする、請求項１に記載のランプ駆動システム。 
【請求項４】
前記第一の差電圧分圧器は、第三の抵抗器と第四の抵抗器を含み、前記第三の抵抗器の一端は前記第一のノードに接続され、前記第四の抵抗器の一端は前記第二のノードに接続され、前記第三の抵抗器の他の一端と前記第四の抵抗器の他の一端は前記第一の検出点に接続され、
ここに前記第三の抵抗器の第三の抵抗値は前記第四の抵抗器の第四の抵抗値と近似的に等しく、前記第三の抵抗値と前記第四の抵抗値は前記第一の抵抗器の第一の抵抗値と前記第二の抵抗器の第二の抵抗値よりもかなり大きな値をとることを特徴とする、請求項３に記載のランプ駆動システム。  
【請求項５】
前記ランプは、さらに等価的漂遊キャパシターを含み、前記第一の抵抗器の前記第一の抵抗値ｒ１と、前記第二の抵抗器の前記第二の抵抗値ｒ２と、前記第一のキャパシターの容量値ｃ１と前記等価的漂遊キャパシターの容量値ｃ２は式
【数２】
2010205716.tif 000004
に従い、前記第一の電圧Vsen1と、前記ランプ端子電流iLと前記第一の抵抗器の前記第一の抵抗値ｒ１は式
【数３】
2010205716.tif 000005
に従うことを特徴とする、請求項４に記載のランプ駆動システム。  
【請求項６】
前記第一の変圧器の前記第一の一次側に接続された駆動回路をさらに備え、前記駆動回路はＤＣ電圧をＡＣ電圧に変換し、前記ＡＣ電圧は前記第一の変圧器の前記第一の一次側に伝達されることを特徴とする、請求項１に記載のランプ駆動システム。  
【請求項７】
前記第一の電圧を整流し分圧するための整流器と電圧分圧ユニットをさらに備え、第一の電圧信号を発生させ、ここに前記整流器と電圧分圧ユニットはダイオードと電圧分圧器を含み、前記電圧分圧器は第五の抵抗器と第六の抵抗器と平滑キャパシターとを含み、
前記第一の電圧は連続的に前記ダイオードにより整流され、平滑キャパシタ―により平滑され、前記電圧分圧器により分圧され、そして前記第一の電圧信号を発生させ、
ここに前記ダイオードのアノード側は前記第一の検出点に接続され、前記ダイオードのカソード側は前記第五の抵抗器の一端と前記平滑キャパシターの一端とに接続され、前記平滑キャパシターの他の一端は接地され、前記第五の抵抗器の他の一端は前記第六の抵抗器の一端に接続され、前記第六の抵抗器の他の一端は接地され、そして前記第一の電圧信号は前記第五の抵抗器と前記第六の抵抗器の間のノードから出力されることを特徴とする、請求項６に記載のランプ駆動システム。 
【請求項８】
パルス幅変換制御器をさらに備え、前記パルス幅変換制御器の一端は前記整流器と電圧分圧ユニットに接続され前記第一の電圧信号を受信し、前記パルス幅変換制御器の他の一端は前記駆動回路に接続され、前記パルス幅変換制御器は前記第一の電圧信号を基準電圧と比較することにより、前記駆動回路に制御信号を発し、前記駆動回路のデューティーサイクルは前記制御信号に従って調整され、このようにして前記ランプの輝度を制御することを特徴とする、請求項７に記載のランプ駆動システム。   
【請求項９】
前記ランプの第二の側に接続された第二の駆動モジュールをさらに備え、前記第二の駆動モジュールは、
第二の変圧器で、第二の一次側と第二の二次側とをもち、前記第二の二次側には第三の端子と第四の端子とがあり、前記第二の二次側の前記第三の端子は前記ランプの前記第二の側に接続されたものと、
第二のキャパシターで、一端が前記第二の変圧器の前記第二の二次側の前記第三の端子と前記ランプの前記第二の側とに接続されたものと、
複数の受動素子を含む第二の電流検出回路で、前記第二の電流検出回路の一端は前記第二の変圧器の前記第二の二次側の前記第四の端子に接続され、前記第二の電流検出回路の他の一端は前記第二のキャパシターの他の一端に接続され、前記第二の電流検出回路は第二の電圧を検出するための第二の検出点をもち、前記第二の電圧は前記ランプの容量性電流成分を含まないランプ端子電流と正比例関係にあるものとを備えることを特徴とする、請求項６に記載のランプ駆動システム。  
【請求項１０】
前記第一の変圧器の前記第一の二次側の前記第一の端子は第一の位相をもつＡＣ電圧を供給し、前記第二の変圧器の前記第二の二次側の前記第三の端子は第二の位相をもつＡＣ電圧を供給し、ここに前記第一の位相と前記第二の位相との位相差は１８０度であることを特徴とする、請求項９に記載のランプ駆動システム。  
【請求項１１】
前記第一の端子は正の高電圧端子で、前記第三の端子は負の高電圧端子であるか、または前記第一の端子は負の高電圧端子で、前記第三の端子は正の高電圧端子であることを特徴とする、請求項９に記載のランプ駆動システム。 
【請求項１２】
前記第二の電流検出回路は第七の抵抗器と第八の抵抗器と第二の差電圧分圧器を含み、前記第二の変圧器の前記第二の二次側の前記第四の端子は前記第七の抵抗器を通して接地され、前記第二のキャパシターの他の一端は前記第八の抵抗器を通して接地され、前記第二の差電圧分圧器の一端は、前記第二の変圧器の前記第二の二次側の前記第四の端子と前記第七の抵抗器とを接続する第三のノードに接続され、前記第二の差電圧分圧器の他の一端は、前記第二のキャパシターの他の一端と前記第八の抵抗器とを接続する第四のノードに接続されることを特徴とする、請求項９に記載のランプ駆動システム。 
【請求項１３】
前記第二の差電圧分圧器は第九の抵抗器と第十の抵抗器を含み、前記第九の抵抗器の一端は前記第三のノードに接続され、前記第十の抵抗器の一端は前記第四のノードに接続され、前記第九の抵抗器の他の一端と前記第十の抵抗器の他の一端は前記第二の検出点に接続され、
ここに前記第九の抵抗器の抵抗値は前記第十の抵抗器の抵抗値と近似的に等しく、また前記第九の抵抗器と前記第十の抵抗器の抵抗値は、前記第七の抵抗器と前記第八の抵抗器の抵抗値よりもかなり大きな値をとることを特徴とする、請求項１２に記載のランプ駆動システム。   
【請求項１４】
前記第一の電圧と前記第二の電圧を整流し、分圧するための整流器と電圧分圧ユニットをさらに備え、第二の電圧信号を発生させ、ここに前記整流器と電圧分圧ユニットは、第一のダイオードと、第二のダイオードと電圧分圧器とを含み、前記電圧分圧器は第五の抵抗器と、第六の抵抗器と平滑キャパシターとを含み、前記第一の電圧と前記第二の電圧は前記第一のダイオードと前記第二のダイオードとによりそれぞれ整流され、前記平滑キャパシターにより平滑され、前記第二の電圧信号は前記第五の抵抗器と前記第六の抵抗器の間のノードから出力されることを特徴とする、請求項９に記載のランプ駆動システム。
【請求項１５】
パルス幅変換制御器をさらに備え、前記パルス幅変換制御器の一端は前記整流器と電圧分圧ユニットに接続されて前記第二の電圧信号を受信し、前記パルス幅変換制御器の他の一端は前記駆動回路に接続され、前記パルス幅変換制御器は前記第二の電圧信号を基準電圧と比較することにより、制御信号を前記駆動回路に発信して、前記駆動回路のデューティーサイクルが前記制御信号に従って調整されることにより前記ランプの輝度を制御することを特徴とする、請求項１４に記載のランプ駆動システム。
【発明の詳細な説明】
【技術分野】
【０００１】
本発明はランプ駆動システム、特に冷陰極蛍光ランプ(CCFL)を駆動するランプ駆動システムに関する。
【背景技術】
【０００２】
図1は、従来技術による冷陰極蛍光ランプ駆動システムを図示する概略回路図である。図１に示すように、駆動回路１２は変圧器１４の一次側に接続されている。冷陰極蛍光ランプ１９は変圧器１４の二次側に接続されている。駆動回路１２により、ＤＣ電圧はＡＣ電圧に変換される。そのＡＣ電圧は変圧器１４により、冷陰極蛍光ランプ１９を駆動するために必要な高電圧、高周波数のＡＣ電圧に変換される。冷陰極蛍光ランプ１９は高電圧、高周波のＡＣ電圧で駆動されるため、漂遊キャパシターCp による漏れ電流IC が冷陰極蛍光ランプ１９の高電圧側で発生してしまう。漏れ電流IC は、冷陰極蛍光ランプ１９の駆動電圧と駆動周波数とに正比例する進み位相の電流となる。冷陰極蛍光ランプ１９の低電圧側では、電圧と電流は同じ位相となる。冷陰極蛍光ランプ１９の低電圧側の電流は有効電力の電流成分となる。冷陰極蛍光ランプ１９の照明時間や環境は変化するものゆえに、冷陰極蛍光ランプ１９の温度も変化する。たとえランプの端子電流IL を一定値に保ったとしても、温度の変化に従ってランプ電圧も変化してしまう。一般に、温度が上昇するとランプ電圧は低下する。
【０００３】
図１を再度参照願いたい。冷陰極蛍光ランプ１９の低電圧側は接地されているため、フィードバック電流は冷陰極蛍光ランプ１９の高電圧側から取得される。フィードバック電流はランプ端子電流IL と漏れ電流IC を含む。漏れ電流IC は温度変化とともに変化するものであるから、総合電流がランプ端子電流と漏れ電流の和(すなわち、IH = IL + IC)と等しい関係が維持されるとしたら、ランプ端子電流IL は逆の方向に変化させられる。このような状況になれば、冷陰極蛍光ランプ１９の輝度を一定に保つことが困難になる。図２は、図１で示された冷陰極蛍光ランプ１９の高電圧側と低電圧側に流れる関連の電流信号のタイミングを示す波形図である。図２に示されるように、漏れ電流IC は進み位相電流であり、抵抗性のランプ端子電流IL
より９０度進み位相となる。ランプ端子電流IL とランプ電圧は同位相となる。
【０００４】
図３は従来形冷陰極蛍光ランプ駆動システムの他の例を示す概略回路図である。図３に示すように、インバーター２０は駆動回路２２と変圧器２４を含む。インバーター２０は出力電圧Vout と出力電流Iout を発生させる。変圧器２４の二次側から伝達される出力電流Iout に応じて、パルス幅変換制御器２６はインバーター２０に対してフィードバック制御信号を発生し、インバーター２０の出力を調整する。冷陰極蛍光ランプ２９は幾つかの漂遊キャパシターC1, C21, C22,…, C2n,を含むため、出力電流Iout はランプ端子電流IL と第一の漂遊キャパシター電流I1 と、第二の漂遊キャパシター電流I2を合計したものとなる。フィードバック制御サンプリング回路は、実効電流値サンプリング制御器２８と、出力電流Ioutの実効電流値をサンプリングするためのスイッチ２７を含む。出力電流Ioutの実効電流値では、第一の漂遊キャパシター電流I1 と、第二の漂遊キャパシター電流I2を合計は最少値となり、このためランプ端子電流ILは出力電流Iout と非常に近い値になる。実効電流値を得るために、スイッチ２７は変圧器２４の二次側とパルス幅変換制御器２６の間に結合されて、実効電流値サンプリング制御器２８の入力端子は冷陰極蛍光ランプ２９の高電圧側に接続され、実効電流値サンプリング制御器２８の出力端子はスイッチ２７に接続される。冷陰極蛍光ランプ２９の高電圧側電圧Vout に応じて、実効電流値サンプリング制御器２８はサンプリング制御信号をスイッチ２７に発し、スイッチ２７の開閉動作を制御する。
【０００５】
図４は、図３で示された実効電流値サンプリング制御器の概略ブロック図である。図４で示されるように、実効電流値サンプリング制御器２８は電圧分圧器２８２とピーク電圧検出回路２８４を含む。冷陰極蛍光ランプ２９の高電圧側電圧Vout は、電圧分圧器２８２によって分圧される。ピーク電圧検出回路２８４は分圧された電圧を受信、処理して、スイッチ２７のオン/オフ状態を制御するサンプリング制御信号を発生し、サンプリング動作が実行される。
【０００６】
図５は、図３で示される冷陰極蛍光ランプの高電圧側と低電圧側に流れる関連する電流信号を示すタイミング波形図である。変圧器２４の二次側の電流サンプリング回路は二次側の電流検出のために用いられる。容量性の漏れ電流I1  はランプ端子電流IL より９０度進み位相であり、実効電流値はランプ電圧Vout がピーク値で漏れ電流が零の時にサンプリングされ、フィードバックされる。このため、フィードバック電流はランプ端子電流IL のみを含むことになる。その結果として、もし漏れ電流I1+I2
が温度変化によって変化したとしても、ランプ端子電流ILは影響を受けない。換言すれば、冷陰極蛍光ランプは温度が変化しても、同じ輝度を保持できる。
【０００７】
以上に述べたランプ駆動システムにも、しかしまだ幾つかの欠点がある。例えば、フィードバック制御サンプリング回路は演算増幅器を必要とし、スイッチは開閉動作をすることが求められ、回路の配置はより複雑なものとなり、全体のコストは増加する。さらには、サンプリングとトリガーのための基準電圧はランプの最小動作電圧よりも低いため、サンプリング間隔(△T)の幅は比較的に広くなってしまう。このような状況において、図５に示されるように、サンプリング間隔(△T)の間にもいくらかの漏れ電流成分がまだ存在し、このため最大電流値のサンプリングの正確度が低下してしまう。
【０００８】
このような、従来技術に存在する欠点を克服するために、冷陰極蛍光ランプを駆動するためのランプ駆動システムを提供する必要がある。
【発明の概要】
【発明が解決しようとする課題】
【０００９】
本発明の目的は、ランプ駆動システムを提供することである。ランプ駆動システムは第一の駆動モジュールを含む。第一の駆動モジュールは、複数の受動要素と検出点を含む第一の電流検出回路をもつ。検出点の電圧はランプの端子電流と正比例するため、本発明によるランプ駆動システムはランプの輝度を正確に、安定的に制御することができる。
【００１０】
請求項１に記載の本発明では、ランプを駆動するためのランプ駆動システムが提供される。ランプ駆動システムは、第一の駆動モジュールを含む。第一の駆動モジュールは第一の変圧器、第一のキャパシターと第一の電流検出回路を含む。第一の変圧器は第一の一次側と第一の二次側をもつ。第一の二次側は第一の端子と第二の端子がある。第一の二次側の第一の端子はランプの第一の側に接続される。第一のキャパシターは一端を、第一の変圧器の第一の二次側の第一の端子と、ランプとに接続されている。第一の電流検出回路は、複数の受動要素を含む。第一の電流検出回路の一端は、第一の変圧器の第一の二次側の第二の端子接続されている。第一の電流検出回路の他の一端は第一のキャパシターの他の一端に接続されている。第一の電流検出回路は第一の電圧を検出するための第一の検出点をもち、その第一の電圧はランプの容量性の電流成分を含まないランプ端子電流と正比例の関係にある。
【００１１】
以上の本発明による内容は、以下に示す詳細な説明と関連図を吟味することにより、通常の当業者にとってはさらに明らかなものとなる。
【図面の簡単な説明】
【００１２】
【図１】従来技術による冷陰極蛍光ランプ駆動システムを示す概略回路図である。
【図２】図１による冷陰極蛍光ランプの高電圧側と低電圧側に流れる電流信号の関連を示すタイミング波形図である。
【図３】従来技術による冷陰極蛍光ランプ駆動システムの他の例を示す概略回路図である。
【図４】図３で示された実効電流値サンプリング制御器の概略ブロック図である。
【図５】図３による冷陰極蛍光ランプの高電圧側と低電圧側に流れる電流信号の関連を示すタイミング波形図である。
【図６Ａ】本発明の第一の実施例によるランプ駆動システムを示す概略回路図である。
【図６Ｂ】図６Ａによるランプ駆動システムの整流器と電圧分圧ユニットを示す概略回路図である。
【図７Ａ】本発明の第二の実施例によるランプ駆動システムを示す概略回路図である。
【図７Ｂ】図７Ａによるランプ駆動システムの整流器と電圧分圧ユニットを示す概略回路図である。
【発明を実施するための形態】
【００１３】
以下の実施例を参照することにより、本発明をさらに明確に説明する。ここで、次に説明される本発明の好ましい実施例は図示と説明のみを目的とすることに留意すべきである。本発明は、以下の詳細に記述した開示例で全てが示されるものではなく、またそれに限定されるものでもない。
【００１４】
図６Ａは、本発明の第一の実施例によるランプ駆動システムを示す概略回路図である。ランプ駆動システム３は、ランプ３７を駆動するために使われる。ランプ３７の例としては、冷陰極蛍光ランプがあるが、それに限るものではない。ランプ３７は直管形ランプまたはＵ形のランプである。ランプ駆動システム３は、基本的に第一の駆動モジュールで構成される。第一の駆動モジュールは第一の変圧器３４、第一のキャパシターＣ１、そして第一の電流検出回路３８とから成る。
【００１５】
第一の変圧器３４は、第一の一次側と第一の二次側を備える。第一の二次側には第一の端子と第二の端子とがある。第一の二次側の第一の端子はランプ３７の第一の側に接続されている。ランプ３７の第二の側は接地されている。第一の変圧器３４の第一の二次側の第一の端子は第一の位相を持つＡＣ電圧を供給するために使われる。第一のキャパシターＣ１は共振キャパシターである。第一のキャパシターＣ１の一端は、第一の二次側の第一の端子とランプ３７に接続されている。第一の電流検出回路３８は、複数の受動要素を含む。第一の電流検出回路３８の一端は第一の変圧器３４の第一の二次側の第二の端子に接続されている。第一の電流検出回路３８の他の一端は、第一のキャパシターＣ１の他の一端に接続されている。第一の電流検出回路３８は第一の電圧Vsen1 を検出するための第一の検出点をもち、第一の電圧Vsen1はランプ３７の容量性電流成分を含まないランプ端子電流 iL と正比例の関係にある。
【００１６】
第一の電流検出回路３８は、第一の抵抗器Ｒ１と、第二の抵抗器Ｒ２と、第一の差電圧分圧器３８１とを含む。第一の変圧器３４の第一の二次側の第二の端子は第一の抵抗器Ｒ１を通して接地されている。第一のキャパシターＣ１の他の一端は、第二の抵抗器Ｒ２を通して接地されている。第一の差電圧分圧器３８１の一端は、第一の変圧器３４の第一の二次側の第二の端子と第一の抵抗器Ｒ１を接続する第一のノードに接続されている。第一の差電圧分圧器３８１の他の一端は、第一のキャパシターＣ１の他の一端と第二の抵抗器Ｒ２を接続する第二のノードに接続されている。
【００１７】
第一の差電圧分圧器３８１は、第三の抵抗器Ｒ３と、第四の抵抗器Ｒ４とを含む。第三の抵抗器Ｒ３の一端は第一のノードに接続されている。第四の抵抗器Ｒ４の一端は第二のノードに接続されている。第三の抵抗器Ｒ３の他の一端と第四の抵抗器Ｒ４の他の一端は、第一の検出点に接続されている。
【００１８】
これより、第一の電圧Vsen1 はランプ３７の容量性電流成分を含まないランプ端子電流iLと正比例の関係にあること、すなわち等価抵抗器RL に流れる電流成分のみが残されていることの理由を、図６Ａを参照しながら、さらに詳しく論じる。
【００１９】
本実施例では、第三の抵抗器Ｒ３の抵抗値ｒ３は、第四の抵抗器Ｒ４の抵抗値ｒ４と近似的に等しいものとする。抵抗値ｒ３と抵抗値ｒ４とは、第一の抵抗器Ｒ１の抵抗値ｒ１と第二の抵抗器Ｒ２の抵抗値ｒ２に比べてかなり大きな値をとる。図６Ａに示すように、電流iC1 は、第一のキャパシターＣ１と第二の抵抗器Ｒ２を通って流れる。漂遊電流iC2 は、ランプ３７の等価的な漂遊キャパシターＣ２を通って流れる。この二つの電流iC1 と iC2 は、温度変化にともなって変化する。第一の抵抗器Ｒ１を通って逆向きに流れる電流は、電流 iC1 と iC2 と iLの和に等しい。電流 iC1 と電流 iC2 は同位相であるから、第一の電圧Vsen1 は、抵抗値ｒ１と抵抗値ｒ２を調整することにより、ランプ３７のランプ端子電流 iL と正比例の関係とすることができる。
【００２０】
【数１】
2010205716.tif 000003
【００２１】
換言すれば、第一の抵抗器Ｒ１の抵抗値ｒ１は（６）式により定義され、第一の電圧Vsen1
は（７）式で定義される。第一の抵抗器Ｒ１の抵抗値ｒ１と第二の抵抗器Ｒ２の抵抗値ｒ２を適切に調整することにより、第一の電圧Vsen1 は、第一の抵抗器Ｒ１の抵抗値ｒ１とランプ端子電流 iL
とに単なる正比例関係とすることができる。
【００２２】
図６Ａを再度参照願いたい。ランプ駆動システム３は、さらに駆動回路３２を備える。駆動回路３２は第一の変圧器３４の第一の一次側に接続されている。駆動回路３２により、ＤＣ電圧はＡＣ電圧に変換され、第一の変圧器３４の第一の一次側に伝達される。
【００２３】
図６Ａを再度参照願いたい。ランプ駆動システム３は、さらに整流器と電圧分圧ユニット３５を備えて、第一の電圧Vsen1 を整流し、分圧して、第一の電圧信号Vd1 を生成する。図６Ｂは、図６Ａで示されたランプ駆動システムの整流器と電圧分圧ユニットを図示する概略回路図である。図６Ｂで示されるように、整流器と電圧分圧ユニット３５は、ダイオードＤと電圧分圧器３５１とを含む。電圧分圧器３５１は、第五の抵抗器Ｒａと、第六の抵抗器Ｒｂと、平滑キャパシターＣｆとを含む。第一の電圧Vsen1 は、ダイオードＤによって連続的に整流され、平滑キャパシターＣｆにより平滑され、直列接続されたＲａとＲｂにより電圧分圧され、そして第一の電圧信号Vd1 を生成する。ダイオードＤのアノードは第一の検出点に接続される。ダイオードＤのカソードは、第五の抵抗器Ｒａの一端に接続される。第五の抵抗器Ｒａの他の一端は、第六の抵抗器Ｒｂの一端に接続される。第六の抵抗器Ｒｂの他の一端は、接地されている。第一の電圧信号Vd1 は、第五の抵抗器Ｒａと第六の抵抗器Ｒｂの間のノードから出力される。
【００２４】
図６Ａを再度参照願いたい。ランプ駆動システム３は、さらにパルス幅変換制御器３６を備える。パルス幅変換制御器３６の一端は、整流器と電圧分圧ユニット３５に接続され、第一の電圧信号Vd1 を受信する。パルス幅変換制御器３６の他の一端は、駆動回路３２に接続される。第一の電圧信号Vd1 をパルス幅変換制御器３６に記憶されている基準電圧と比較することにより、パルス幅変換制御器３６は駆動回路３２に対して制御信号を発する。この制御信号に応じて、駆動回路３２のデューティサイクルが調整され、ランプ３７の輝度が安定的に制御される。
【００２５】
図７Ａは、本発明の第二の実施例によるランプ駆動システムを図示する概略回路図である。ランプ駆動システム４は、第一の駆動モジュールと第二の駆動モジュールとから成る。第一の駆動モジュールは、ランプ３７の第一の側に接続される。第一の駆動モジュールは第一の変圧器３４、第一のキャパシターＣ１と、第一の電流検出回路３８とを備える。第一の駆動モジュールの構成と動作原理は、第一の実施例で示されたものと同じであり、ここでは冗長に説明はしない。   
【００２６】
第二の駆動モジュールは、ランプ３７の第二の側に接続される。第二の駆動モジュールは、第二の変圧器４４と、第二のキャパシターＣ３と、第二の電流検出回路４８とを備える。
【００２７】
第二の変圧器４４は、第二の一次側と第二の二次側とをもつ。第二の二次側には第三の端子と第四の端子とがある。第二の二次側の第三の端子は、ランプ３７の第二の側に接続される。第一の変圧器３４の第一の二次側の第一の端子は、第一の位相をもつＡＣ電圧を供給するために使われる。第二の変圧器４４の第二の二次側の第三の端子は、第二の位相をもつＡＣ電圧を供給するために使われる。ここに、第一の位相と第二の位相の位相差は１８０度である。第一の端子が正の高電圧の時は、第三の端子は負の高電圧となる。一方、第一の端子が負の高電圧の時は、第三の端子は正の高電圧となる。第二のキャパシターＣ３は共振用キャパシターである。第二のキャパシターＣ３の一端は、第二の二次側の第三の端子とランプ３７に接続される。
【００２８】
第二の電流検出回路４８は、複数の受動要素を含む。第二の電流検出回路４８の一端は、第二の変圧器４４の第二の二次側の第四の端子に接続される。第二の電流検出回路４８の他の一端は、第二のキャパシターＣ３の他の一端に接続される。第二の電流検出回路４８は、第二の検出点をもち、第二の電圧Vsen2 を検出する。第二の電圧Vsen2 は、ランプ３７の容量性電流成分を含まないランプ端子電流iLと正比例の関係にある。
【００２９】
第二の電流検出回路４８は、第七の抵抗器Ｒ７、第八の抵抗器Ｒ８と、第二の差電圧分圧器４８１とを含む。第二の変圧器４４の第二の二次側の第四の端子は、第七の抵抗器Ｒ７を通して接地される。第二のキャパシターＣ３の他の一端は、第八の抵抗器Ｒ８を通して接地される。第二の差電圧分圧器４８１の一端は、第二の変圧器４４の第二の二次側の第四の端子と第七の抵抗器Ｒ７を接続する第三のノードに接続される。第二の差電圧分圧器４８１の他の一端は、第二のキャパシターＣ３の他の一端と第八の抵抗器Ｒ８を接続する第四のノードに接続される。
【００３０】
第二の差電圧分圧器４８１は、第九の抵抗器Ｒ９と第十の抵抗器Ｒ１０を含む。第九の抵抗器Ｒ９の一端は、第三のノードに接続される。第十の抵抗器Ｒ１０の一端は、第四のノードに接続される。第九の抵抗器Ｒ９の他の一端と、第十の抵抗器Ｒ１０の他の一端は第二の検出点に接続される。第九の抵抗器Ｒ９の抵抗値は、第十の抵抗器Ｒ１０の抵抗値と近似的に等しい。第九の抵抗器Ｒ９と第十の抵抗器Ｒ１０の抵抗値は、第七の抵抗器Ｒ７と第八の抵抗器Ｒ８の抵抗値よりもかなり大きな値となる。
【００３１】
図７Ａを再度参照願いたい。ランプ駆動システム４は、さらに整流器と電圧分圧ユニット４５を備え、第一の電圧Vsen1 と第二の電圧Vsen2 を整流、平滑し、分圧して第二の電圧信号Vd2 を生成する。図７Ｂは、図７Ａのランプ駆動システムの整流器と電圧分圧ユニットを示す概略回路図である。図７Ｂに示されるように、整流器と電圧分圧ユニット４５は、二つのダイオードＤ１とＤ２と、電圧分圧器４５１とを含む。電圧分圧器４５１は、第五の抵抗器Ｒａと第六の抵抗器Ｒｂと平滑キャパシターＣｆとを含む。第一の電圧Vsen1 と第二の電圧Vsen2 は、ダイオードＤ１とＤ２とによりそれぞれ整流され、平滑キャパシターＣｆにより平滑され、そして第二の電圧信号Vd2 は、第五の抵抗器Ｒａと第六の抵抗器Ｒｂの間のノードから出力される。ここに、ダイオードＤ１とＤ２と平滑キャパシターＣｆは第五の抵抗器Ｒａの一端に接続され、第五の抵抗器Ｒａの他の一端は第六の抵抗器Ｒｂの一端に接続され、第六の抵抗器Ｒｂの他の一端は接地されている。
【００３２】
図７Ａを再度参照願いたい。ランプ駆動システム４は、さらにパルス幅変換制御器４６を含む。パルス幅変換制御器４６の一端は、整流器と電圧分圧ユニット４５に接続され、第二の電圧信号Vd2を受信する。パルス幅変換制御器４６の他の一端は、駆動回路３２に接続される。第二の電圧信号Vd2を、パルス幅変換制御器４６に記憶されている基準電圧Vref
と比較することにより、パルス幅変換制御器４６は、第一の変圧器３４と第二の変圧器４４とに接続された駆動回路３２に制御信号を発する。この制御信号により、駆動回路３２のデューティーサイクルは調整されて、ランプ３７の輝度を安定的に制御する。
【００３３】
以上の説明により、本発明によるランプ駆動システムは少なくとも一つの駆動モジュールを含む。その駆動モジュールは複数の受動要素と一つの検出点を含む電流検出回路を備える。その検出点の電圧は、ランプのランプ端子電流と正比例関係にあるため、本発明によるランプ駆動システムは正確にかつ安定的にランプの輝度を制御することができる。さらに、電流検出回路は複数の受動要素から成るため、電流検出回路を非常に単純でコストの掛からないものとすることができる。
【００３４】
本発明は、現時点で最も実用的で最適な実施例は何かとの観点から説明されている。このため、本発明はここに開示された実施例に限定される必要はないと理解されるべきである。逆に、本発明は添付した請求項の精神や範囲の中に含まれる様々な変形や類似の構成にも範囲が及ぶことを意図しており、その請求項はそのような全ての変形や類似構成をも包含するような最も広い解釈が付与されるべきである。
【符号の説明】
【００３５】
３      ランプ駆動システム
４      ランプ駆動システム
１２    駆動回路
１４    変圧器
１９    冷陰極蛍光ランプ
２０    インバーター
２２    駆動回路
２４    変圧器
２６    パルス幅変換制御器
２７    スイッチ
２８    実効電流値サンプリング制御器
２９    冷陰極蛍光ランプ
３２    駆動回路
３４    第一の変圧器
３５    電圧分圧ユニット
３６    パルス幅変換制御器
３７    ランプ
３８    第一の電流検出回路
４４    第二の変圧器
４５    電圧分圧ユニット
４６    パルス幅変換制御器
４８    第二の電流検出回路
２８２  電圧分圧器
２８４  ピーク電圧検出回路
３５１  電圧分圧器
３８１  第一の差電圧分圧器
４５１  電圧分圧器
４８１  第二の差電圧分圧器
【図１】
2010205716.tif 000006
【図２】
2010205716.tif 000007
【図３】
2010205716.tif 000008
【図４】
2010205716.tif 000009
【図５】
2010205716.tif 000010
【図６Ａ】
2010205716.tif 000011
【図６Ｂ】
2010205716.tif 000012
【図７Ａ】
2010205716.tif 000013
【図７Ｂ】
2010205716.tif 000014
【外国語明細書】
2010205716.tif 000015
2010205716.tif 000016
2010205716.tif 000017
2010205716.tif 000018
2010205716.tif 000019
2010205716.tif 000020
2010205716.tif 000021
2010205716.tif 000022
2010205716.tif 000023
2010205716.tif 000024
2010205716.tif 000025
2010205716.tif 000026
2010205716.tif 000027
2010205716.tif 000028
2010205716.tif 000029
2010205716.tif 000030
2010205716.tif 000031
2010205716.tif 000032
2010205716.tif 000033
2010205716.tif 000034
2010205716.tif 000035
2010205716.tif 000036
2010205716.tif 000037
2010205716.tif 000038
2010205716.tif 000039
2010205716.tif 000040
2010205716.tif 000041
2010205716.tif 000042
2010205716.tif 000043
2010205716.tif 000044
2010205716.tif 000045